(57)【要約】【課題】  遊技者が自由な姿勢や楽な姿勢を取ることが可能であり、疲労の蓄積を防止し、リラックスして長時間にわたって遊技を行うことを可能とする着座構造体を提供すること。【解決手段】  複数台の遊技機が連設されてなる遊技機島の前方に設置される着座構造体であって、平坦な座板と、上記座板を支持する支持体とを備え、上記座板の幅は、少なくとも１台の上記遊技機の幅以上であることを特徴とする着座構造体。【選択図】    図１
2006223529.tif 000002
【特許請求の範囲】
【請求項１】
複数台の遊技機が連設されてなる遊技機島の前方に設置される着座構造体であって、
平坦な座板と、前記座板を支持する支持体とを備え、
前記座板の幅は、少なくとも１台の前記遊技機の幅以上であることを特徴とする着座構造体。
【請求項２】
前記座板の幅は、前記遊技機島の幅以上であることを特徴とする請求項１に記載の着座構造体。
【請求項３】
通路を隔てて配置された２つの前記遊技機島の間の通路に設置され、
前記座板は、一方の遊技機島に属する遊技機に対座した遊技者が遊技を行うことが可能であるとともに、該遊技機に対向する他方の遊技機島に属する遊技機に対座した遊技者が遊技を行うことが可能な広さを有することを特徴とする請求項１又は２に記載の着座構造体。
【請求項４】
前記座板の一部が、開閉可能な開閉板を構成し、
前記開閉板の下方には、物品の収納が可能な収納部が設けられていることを特徴とする請求項１〜３のいずれか１に記載の着座構造体。
【請求項５】
複数台の遊技機が連設されてなる複数の遊技機島が通路を隔てて配置された遊技場であって、
請求項１〜４のいずれか１に記載の着座構造体が、少なくとも１の通路に配置されていることを特徴とする遊技場。
【発明の詳細な説明】
【技術分野】
【０００１】
本発明は、遊技場に設置するための着座構造体及び遊技場に関する。
【背景技術】
【０００２】
一般的に、パチンコ遊技装置やパチスロ遊技装置等の遊技機が設置された遊技場（所謂パチンコホール）では、遊技機ごとに椅子が配置されている。遊技者はその椅子に腰掛けて遊技機に対座して遊技を行う。
【０００３】
従来の遊技機用椅子としては、例えば、遊技機における遊技状況に連動して振動、回転、傾動等を行う遊技機用椅子が存在する（例えば、特許文献１参照）。特許文献１に記載の遊技機用椅子では、遊技機における視覚的、聴覚的な演出では表現し得ないような演出として、身体全体で体感し得る演出を遊技状況と連動させて行うことが可能であり、遊技に対する興味や関心を惹き付けることができる。
【０００４】
【特許文献１】特開２００３−７１１１９号公報
【発明の開示】
【発明が解決しようとする課題】
【０００５】
ところで、遊技者のなかには、遊技場の開店から閉店まで遊技を行う熱心な遊技者が存在する。特に、遊技場に設置された多数の遊技機のなかから、例えば、設定の高いパチスロ遊技装置等、利益の得易い遊技機を確保することができた遊技者は、より多くの利益を得るために休憩を取らずに長時間にわたって連続して遊技を行う傾向にある。このような遊技者にとってみれば、如何に疲れずにリラックスして遊技を行うことができるかが、非常に重要であり、例えば、片膝を立てたり、胡座をかいたりして、楽な姿勢で遊技を行いたいという要望がある。しかしながら、遊技機ごとに設置された椅子では、自由に姿勢を変えることができないという問題がある。また、特許文献１に記載の遊技機用椅子では、演出を全身で体感し得るというメリットはあるものの、長時間にわたって遊技を行うような場合には、全身で体感し得る演出が却って疲労の蓄積に繋がってしまうおそれがある。
【０００６】
本発明は、上述した課題に鑑みてなされたものであり、その目的は、遊技者が自由な姿勢や楽な姿勢を取ることが可能であり、疲労の蓄積を防止し、リラックスして長時間にわたって遊技を行うことを可能とする着座構造体及び遊技場を提供することにある。
【課題を解決するための手段】
【０００７】
以上のような目的を達成するために、本発明は、以下のようなものを提供する。
（１）  複数台の遊技機が連設されてなる遊技機島の前方に設置される着座構造体であって、
平坦な座板と、上記座板を支持する支持体とを備え、
上記座板の幅は、少なくとも１台の上記遊技機の幅以上であることを特徴とする着座構造体。
【０００８】
（１）の発明によれば、少なくとも１台の遊技機の幅以上の幅を有する平坦な座板は、一般的に遊技機ごとに配置される椅子と比べると、着座部分が平坦であり且つ広いため、遊技者は、あたかも座敷にいるような感覚で、例えば、胡座をかいたり、片膝を立てたり、片手をついたりするというように、自由な姿勢や楽な姿勢を取ることが可能である。従って、疲労の蓄積を防止することができ、遊技者はリラックスして長時間にわたって遊技を行うことができる。
【０００９】
さらに、本発明は、以下のようなものを提供する。
（２）  上記（１）の着座構造体であって、
上記座板の幅は、上記遊技機島の幅以上であることを特徴とする。
【００１０】
（２）の発明によれば、遊技機島を構成する１列の遊技機の前方に、着座構造体が位置することになるため、着座部分をより広く確保することができる。従って、隣の遊技機で他の遊技者が遊技を行っていない場合等には、例えば、隣に足を投げ出したり、寝転がったりするというように、より自由な姿勢や楽な姿勢を取ることが可能である。その結果、疲労の蓄積を効果的に防止することができる。
【００１１】
さらに、本発明は、以下のようなものを提供する。
（３）  上記（１）又は（２）の着座構造体であって、
通路を隔てて配置された２つの上記遊技機島の間の通路に設置され、
上記座板は、一方の遊技機島に属する遊技機に対座した遊技者が遊技を行うことが可能であるとともに、該遊技機に対向する他方の遊技機島に属する遊技機に対座した遊技者が遊技を行うことが可能な広さを有することを特徴とする。
【００１２】
（３）の発明によれば、通路を隔てて配置された２つの遊技機島の夫々で遊技を行う遊技者が同じ着座構造体に着座して遊技を行うことが可能な広さを有するため、着座部分の奥行きを広く確保することができる。従って、例えば、後方の遊技機で遊技が行われていないような場合には、後ろに寝転がって伸びをしたりするというように、極めて自由な姿勢や楽な姿勢を取ることが可能である。その結果、疲労の蓄積を効果的に防止することができる。
【００１３】
さらに、本発明は、以下のようなものを提供する。
（４）  上記（１）〜（３）のいずれか１の着座構造体であって、
上記座板の一部が、開閉可能な開閉板を構成し、
上記開閉板の下方には、物品の収納が可能な収納部が設けられていることを特徴とする。
【００１４】
（４）の発明によれば、手元や足元にカバンや靴等を置かずに収納部に収納することができるため、遊技者の周囲により広いスペースを確保することができる。従って、遊技者がより自由な姿勢や楽な姿勢を取り易くすることができる。
【００１５】
さらに、本発明は、以下のようなものを提供する。
（５）  複数台の遊技機が連設されてなる複数の遊技機島が通路を隔てて配置された遊技場であって、
上記（１）〜（４）のいずれか１に記載の着座構造体が、少なくとも１の通路に配置されていることを特徴とする遊技場。
【００１６】
（５）の発明によれば、遊技者は、あたかも座敷にいるような感覚で、自由な姿勢や楽な姿勢を取ることが可能である。従って、疲労の蓄積を防止することかでき、遊技者はリラックスして長時間にわたって遊技を行うことができる。
【発明の効果】
【００１７】
本発明によれば、遊技者が自由な姿勢や楽な姿勢を取ることが可能であり、疲労の蓄積を防止し、リラックスして長時間にわたって遊技を行うことを可能とし得る。
【発明を実施するための最良の形態】
【００１８】
図１は、本発明の一実施形態に係る着座構造体を模式的に示す斜視図である。
図２（ａ）は、図１に示した着座構造体を模式的に示す平面図であり、（ｂ）は、（ａ）のＡ−Ａ線断面図である。
遊技機島１０Ａ、１０Ｂは、夫々１２台のパチンコ遊技装置１１が、背中合わせに２台ずつ配置され、連接されてなる。遊技機島１０Ａ、１０Ｂ間の通路１２には、着座構造体１が設置されている。
【００１９】
着座構造体１は、畳敷の開閉板５をその一部に有する木製の平坦な座板２と、座板２を支持する木製の支持体３からなる。図２（ａ）に示すように、着座構造体１の座板２の幅Ｗは、パチンコ遊技装置１１の幅Ｍより広く、遊技機島１０（１０Ａ、１０Ｂ）の幅Ｉと同じである。
【００２０】
また、着座構造体１は１２人掛けである。すなわち、座板２は、遊技機島１０Ａに属するパチンコ遊技装置１１Ａに対座した遊技者が遊技を行うことが可能であるとともに、パチンコ遊技装置１１Ａに対向する遊技機島１０Ｂに属するパチンコ遊技装置１１Ｂに対座した遊技者が遊技を行うことが可能な広さを有する（図２（ａ）、（ｂ）参照）。
【００２１】
開閉板５は、全１２枚設けられていて、蝶番６によって開閉可能に連結されている。図２（ｂ）における双方向の矢印は、開閉板５の開閉方向を示している。開閉板５の下方には、物品の収納が可能な収納部４が設けられていて、遊技者は、例えば、カバン等の所持品、上着やコート等の衣類、靴等を収納部４に収納することができる。
【００２２】
また、図中には示していないが、座板２の上に、例えば、座布団、座椅子、クッション等を載置することにより、遊技者がよりリラックスし得る環境を創出することができる。
【００２３】
以上、着座構造体１によれば、平坦な座板２は、一般的にパチンコ遊技装置ごとに配置される椅子と比べると、着座部分が平坦であり且つ広いため、遊技者は、あたかも座敷にいるような感覚で、例えば、胡座をかいたり、片膝を立てたり、片手をついたりするというように、自由な姿勢や楽な姿勢を取ることが可能である。従って、疲労の蓄積を防止することができ、遊技者はリラックスして長時間にわたって遊技を行うことができる。
【００２４】
また、遊技機島１０を構成する１列のパチンコ遊技装置１１の前方に、着座構造体１が位置するため、着座部分を広く確保することができる。従って、隣のパチンコ遊技装置１１で他の遊技者が遊技を行っていない場合等には、例えば、隣に足を投げ出したり、寝転がったりするというように、より自由な姿勢や楽な姿勢を取ることが可能である。その結果、疲労の蓄積を効果的に防止することができる。
【００２５】
また、着座構造体１の座板２は、通路１２を隔てて配置された２つの遊技機島１０Ａ、１０Ｂの夫々で遊技を行う遊技者が同じ着座構造体１に着座して遊技を行うことが可能な広さを有するため、着座部分の奥行きを広く確保することができる。従って、例えば、後方のパチンコ遊技装置１１で遊技が行われていないような場合には、後ろに寝転がって伸びをしたりするというように、極めて自由な姿勢や楽な姿勢を取ることが可能である。その結果、疲労の蓄積を効果的に防止することができる。
【００２６】
また、座板２の開閉板５は畳敷であるため、より座り易さを向上させることができるとともに、落ち着いて寛ぐことができる環境を提供することができる。従って、遊技者がよりリラックスし易くすることができ、長時間にわたって遊技を行い易くすることができる。
【００２７】
さらに、手元や足元にカバンや靴等を置かずに収納部４に収納することができるため、遊技者の周囲により広いスペースを確保することができる。従って、遊技者がより自由な姿勢や楽な姿勢を取り易くすることができる。
【００２８】
図１、図２（ａ）、（ｂ）を用いて説明した着座構造体１を設置した遊技場の一例を以下に示す。
図３は、本発明の一実施形態に係る遊技場３０を模式的に示す斜視図である。
図中、３１は廊下、３２は自動ドア、３３は玄関、３４は下駄箱を示している。
このように、遊技場３０は、着座構造体１が各遊技機島１０間の通路に配置されており、履物を脱いで入店するように構成されている。
【００２９】
遊技場３０によれば、遊技者は、あたかも座敷にいるような感覚で、自由な姿勢や楽や姿勢を取ることが可能である。従って、疲労の蓄積を防止することができ、遊技者はリラックスして長時間にわたって遊技を行うことができる。
【００３０】
本実施形態においては、着座構造体の座板が１２人掛けの広さを有する場合について説明したが、本発明は、この例に限定されるものではない。また、座板が畳敷である場合について説明したが、座板が板敷であってもよく、座板に座布団等が固定されていてもよい。
【００３１】
以上、本発明の実施形態を説明したが、具体例を例示したに過ぎず、特に本発明を限定するものではなく、具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００３２】
【図１】本発明の一実施形態に係る着座構造体を模式的に示す斜視図である。
【図２】（ａ）は、図１に示した着座構造体を模式的に示す平面図であり、（ｂ）は、（ａ）のＡ−Ａ線断面図である。
【図３】本発明の一実施形態に係る遊技場を模式的に示す斜視図である。
【符号の説明】
【００３３】
１  着座構造体
２  座板
３  支持体
４  収納部
５  開閉板
６  蝶番
１０（１０Ａ、１０Ｂ）  遊技機島
１１（１１Ａ、１１Ｂ）  パチンコ遊技装置
１２  通路
【図１】
2006223529.tif 000003
【図２】
2006223529.tif 000004
【図３】
2006223529.tif 000005